(57)【特許請求の範囲】
【請求項１】
定着部材と、該定着部材に対して回転自在に圧接し未定着トナーをシート上に定着させるニップ部を形成する加圧部材と、蓄電装置と、前記定着部材の幅方向中央部を加熱する発熱部をもつ中央加熱ヒータと、前記定着部材の幅方向両端部を加熱する発熱部をもつ端部加熱ヒータと、前記定着部材を加熱する補助ヒータと、を備え、前記中央加熱ヒータの発熱部よりも幅の狭いサイズ（小サイズ）のシートを通紙する定着処理のときに、前記端部加熱ヒータを常時消灯とし前記中央加熱ヒータ及び補助ヒータを点灯して定着部材を加熱する定着装置であって、
前記小サイズのシートの連続通紙の定着処理の最中に前記蓄電装置の放電が停止するときは、該蓄電装置の放電停止後に前記端部加熱ヒータを点灯して前記定着部材を加熱することを特徴とする定着装置。
【請求項２】
前記定着部材の端部の目標温度を任意の温度に設定し、該目標温度と前記定着部材の端部の実際の温度とを比較して前記端部加熱ヒータの点灯制御を行なう制御手段を備え、
前記制御手段は、前記小サイズのシートの連続通紙の定着処理開始時に、前記定着部材の端部の目標温度を第１の温度に設定して、あるいは強制的に電力供給を行わずに前記端部加熱ヒータを常時消灯とし、
前記小サイズのシートの連続通紙の定着処理の最中であって前記蓄電装置が放電を停止する時に、前記定着部材の端部の目標温度を前記第１の温度よりも高い第２の温度に設定して前記端部加熱ヒータを点灯し定着部材を第２の温度まで加熱することを特徴とする請求項１に記載の定着装置。
【請求項３】
前記制御手段は、前記小サイズのシートの連続通紙の定着処理の最中に、前記蓄電装置の放電電圧がフル充電電圧と放電停止電圧との間の所定の電圧に低下した時、前記定着部材の端部の目標温度を前記第１の温度と第２の温度との間の温度である第３の温度に設定して前記端部加熱ヒータを点灯し定着部材を第３の温度まで加熱することを特徴とする請求項２に記載の定着装置。
【請求項４】
定着部材と、該定着部材に対して回転自在に圧接し未定着トナーをシート上に定着させるニップ部を形成する加圧部材と、蓄電装置と、前記定着部材の幅方向中央部を加熱する発熱部をもつ中央加熱ヒータと、前記定着部材の幅方向両端部を加熱する発熱部をもつ端部加熱ヒータと、前記定着部材を加熱する補助ヒータと、を備え、前記中央加熱ヒータの発熱部よりも幅の狭いサイズ（小サイズ）のシートを通紙する定着処理のときに、前記端部加熱ヒータを常時消灯とし前記中央加熱ヒータ及び補助ヒータを点灯して定着部材を加熱する定着装置であって、
前記小サイズのシートの定着処理の開始時に、前記蓄電装置の充電電圧が放電可能電圧以下で前記補助ヒータが点灯されないときは、前記中央加熱ヒータ及び端部加熱ヒータを点灯して前記定着部材を加熱することを特徴とする定着装置。
【請求項５】
請求項１〜４のいずれかに記載の定着装置を有することを特徴とする画像形成装置。
【発明の詳細な説明】
【技術分野】
【０００１】
本発明は、定着装置の省電力化の効率化に関し、例えば電子写真方式を使用した複写機やプリンタ装置，ファクシミリ装置等の画像形成装置の省電力化の効率化に関する。
【背景技術】
【０００２】
複写機やプリンタ装置等の画像形成装置に使用される定着ローラは、そのローラ内にハロゲンヒータなどの発熱体を内装し、加圧ローラと圧接してニップ部を形成している。このような定着ローラは、ニップ部での圧力と発熱体からの輻射熱により上記ニップ部に送り込まれた転写紙（シート）上のトナー像を溶融定着させるものである。
【０００３】
近年、高速、省電力の画像形成装置では、速やかに定着装置の温度を上昇させ転写を可能にするために定着ローラの肉厚を薄くしている。また、補助電源装置（キャパシタ）から加熱部の発熱体（キャパシタヒータ）へ電力を供給することで加熱部（定着ローラ）の発熱体への電力供給を補助することにより加熱部の昇温時間を短縮することができる（例えば、特許文献１参照。）。あるいは、この補助電源装置から加熱部の発熱体への電力供給補助を通紙時に行うことで、電力をより有効活用できる（例えば、特許文献２参照。）。
【０００４】
また、シートへのトナーの定着時には、発光部を中央に持つ棒状の中央配光ＡＣヒータ（中央加熱ヒータ）と、発光部を両端に持つ棒状の端部配光ＡＣヒータ（端部加熱ヒータ）を使用し、シートのサイズにより両ヒータを使い分ける制御技術が知られている。
【０００５】
ここで、薄肉定着ローラにおいては、ローラの中央部と端部の温度分布が悪く、ウォームアップ時には定着ローラの端部の温度上昇が遅い。また定着ローラの熱容量が小さいため立上直後のシートへの定着時には、定着ローラ端部の温度落込みが大きくなる。そのためウォームアップ時および定着時に端部配光またはフラット配光（ヒータ全体に発熱部を持つ）を行なう補助発熱ヒータ（ＡＣハロゲンヒータまたはキャパシタヒータ）を使用している。
【０００６】
しかしながら、小サイズ用紙（Ａ５サイズなど）の連続通紙においては定着ローラの幅方向において非定着部（非通紙部）の温度上昇が大きく、定着部（通紙部）の温度落込みが大きくなり定着性能が悪くなる問題があった。また、小サイズ用紙の連続通紙の最中、または連続通紙後のつぎの印刷ジョブのときに、補助電源装置（キャパシタ）の残電量が減少して、該補助電源装置（キャパシタ）から電力供給できなくなるときがあり、このときも定着ローラの幅方向の温度バランスが悪くなり定着性能が悪くなる問題があった。
【０００７】
【特許文献１】特開２０００−３１５５６７号公報
【特許文献２】特開２００５−２１６７８４号公報
【発明の開示】
【発明が解決しようとする課題】
【０００８】
本発明は、以上の従来技術における問題に鑑みてなされたものであり、小サイズの用紙を連続通紙した場合においても、定着性能を低下させることがないように温度制御を行う定着装置及び該定着装置を用いた画像形成装置を提供することを目的とする。
【課題を解決するための手段】
【０００９】
前記課題を解決するために提供する本発明は、以下の通りである。
〔１〕  定着部材（定着ローラ１４）と、該定着部材に対して回転自在に圧接し未定着トナーをシート上に定着させるニップ部を形成する加圧部材（加圧ローラ１５）と、蓄電装置（補助電源装置４ｂ）と、前記定着部材の幅方向中央部を加熱する発熱部をもつ中央加熱ヒータ（中央加熱ヒータ２ａ１）と、前記定着部材の幅方向両端部を加熱する発熱部をもつ端部加熱ヒータ（端部加熱ヒータ２ａ２）と、前記定着部材を加熱する補助ヒータ（補助ヒータ２ｂ）と、を備え、前記中央加熱ヒータの発熱部よりも幅の狭いサイズ（小サイズ）のシートを通紙する定着処理のときに、前記端部加熱ヒータを常時消灯とし前記中央加熱ヒータ及び補助ヒータを点灯して定着部材を加熱する定着装置であって、前記小サイズのシートの連続通紙の定着処理の最中に前記蓄電装置の放電が停止するときは、該蓄電装置の放電停止後に前記端部加熱ヒータを点灯して前記定着部材を加熱することを特徴とする定着装置（図２，図４，図５）。
〔２〕  前記定着部材の端部の目標温度を任意の温度に設定し、該目標温度と前記定着部材の端部の実際の温度とを比較して前記端部加熱ヒータの点灯制御を行なう制御手段（第１の制御部）を備え、前記制御手段は、前記小サイズのシートの連続通紙の定着処理開始時に、前記定着部材の端部の目標温度を第１の温度（例えば１５０℃）に設定して、あるいは強制的に電力供給を行わずに前記端部加熱ヒータを常時消灯とし、前記小サイズのシートの連続通紙の定着処理の最中であって前記蓄電装置が放電を停止する時に、前記定着部材の端部の目標温度を前記第１の温度よりも高い第２の温度（例えば１９０℃）に設定して前記端部加熱ヒータを点灯し定着部材を第２の温度まで加熱することを特徴とする前記〔１〕に記載の定着装置（図４）。
〔３〕  前記制御手段は、前記小サイズのシートの連続通紙の定着処理の最中に、前記蓄電装置の放電電圧がフル充電電圧と放電停止電圧との間の所定の電圧に低下した時、前記定着部材の端部の目標温度を前記第１の温度と第２の温度との間の温度である第３の温度（例えば１８０℃）に設定して前記端部加熱ヒータを点灯し定着部材を第３の温度まで加熱することを特徴とする前記〔２〕に記載の定着装置（図５）。
〔４〕  定着部材（定着ローラ１４）と、該定着部材に対して回転自在に圧接し未定着トナーをシート上に定着させるニップ部を形成する加圧部材（加圧ローラ１５）と、蓄電装置（補助電源装置４ｂ）と、前記定着部材の幅方向中央部を加熱する発熱部をもつ中央加熱ヒータ（中央加熱ヒータ２ａ１）と、前記定着部材の幅方向両端部を加熱する発熱部をもつ端部加熱ヒータ（端部加熱ヒータ２ａ２））と、前記定着部材を加熱する補助ヒータ（補助ヒータ２ｂ）と、を備え、前記中央加熱ヒータの発熱部よりも幅の狭いサイズ（小サイズ）のシートを通紙する定着処理のときに、前記端部加熱ヒータを常時消灯とし前記中央加熱ヒータ及び補助ヒータを点灯して定着部材を加熱する定着装置であって、前記小サイズのシートの定着処理の開始時に、前記蓄電装置の充電電圧が放電可能電圧以下で前記補助ヒータが点灯されないときは、前記中央加熱ヒータ及び端部加熱ヒータを点灯して前記定着部材を加熱することを特徴とする定着装置（図２，図６）。
〔５〕  前記〔１〕〜〔４〕のいずれかに記載の定着装置（定着装置１０）を有することを特徴とする画像形成装置（図１）。
【発明の効果】
【００１０】
本発明の効果として、請求項１の発明によれば、小サイズのシートを定着させる場合、補助電源装置（キャパシタ）が放電停止したときに端部加熱ヒータを点灯して定着部材の加熱を行なうので、定着部材の通紙領域の温度が大きく落込むことを防ぐことができる。
また、請求項２の発明によれば、小サイズのシートの定着処理開始時に定着部材の端部の目標温度を低めの第１の温度に設定する、あるいは強制的に電力供給を行なわないので端部加熱ヒータが常時消灯となる。また、小サイズのシートの連続通紙の定着処理の最中に補助電源装置（キャパシタ）が放電停止すると補助ヒータが消灯となり、そのままでは定着部材の通紙領域の温度が落ち込み定着性能が悪くなるが、前記目標温度を第１の温度よりも高めの第２の温度に設定するので端部加熱ヒータを点灯して定着部材を第２の温度まで加熱するようになり、定着ローラの通紙領域の温度低下を防ぐことができる。
また、請求項３の発明によれば、端部加熱ヒータにより蓄電装置の放電による電力供給の途中段階で定着部材の端部を若干加熱し（第３の温度まで加熱し）、放電停止時にさらに加熱する（第２の温度まで加熱する）ように段階的に加熱の程度を上げているので、蓄電装置の放電停止時の定着部材の通紙領域の温度が一度に大きく落ち込むことを防ぐことができる。これは、外部電源の定着装置へのＡＣ電圧入力が定格以下となっていて、中央加熱ヒータの電力出力が定格以下となっている場合にとくに有効である。
また、請求項４の発明によれば、連続通紙の定着処理後に小サイズのシートを通紙するときなどであって、充電中の蓄電装置の充電電圧が放電可能電圧に達していないときは蓄電装置から電力供給されず補助ヒータの点灯がないため、通紙時に定着部材の通紙領域の温度の落込みが大きくなり定着性能が悪くなる。そこで前記通紙開始時に端部加熱ヒータの目標温度（制御温度）を上げるなどして、該端部加熱ヒータを点灯して定着部材を加熱するので定着部材の通紙領域の温度が大きく落込むことを防ぐことができる。
また、請求項５の発明によれば、本発明の定着装置を用いるので、小サイズのシートの連続通紙の印刷ジョブにおいても、良好な定着性能を確保することができる。
【発明を実施するための最良の形態】
【００１１】
以下に、本発明に係る定着装置及び画像形成装置の構成について説明する。
図１は、本発明に係る画像形成装置の構成例を示す断面図である。
画像形成装置１００は、セットされた読取対象の原稿を読取装置１３０に送る自動原稿送り装置（ＡＤＦ）１２０と、ＡＤＦ１２０から送られてきた原稿を画像として読み取る読取装置１３０と、読取装置１３０で読み取られた画像データに基づいて画像を形成する画像形成部１４０と、を備える。また、画像形成部１４０は、本発明に係る定着装置１０を備える。
図１において、４１は回転体からなる像担持体の一例であるドラム形状の感光体を示す。この感光体４１の周りには、図中に矢印で示す向きの回転方向順に、帯電ローラからなる帯電装置４２と、露光手段の一部を構成するミラー４３と、現像ローラ４４ａを備えた現像装置４４と、記録材Ｐとしての用紙（シート）に現像画像を転写する転写装置４８と、感光体４１の周面に摺接するブレード４６ａを備えたクリーニング装置４６等が配置してある。感光体４１は、帯電装置４２と現像ローラ４４ａとの間で露光手段によりミラー４３を介して露光光Ｌｂで走査されて露光される。この感光体４１上の露光光Ｌｂが照射される位置を露光部１５０と言う。
【００１２】
転写装置４８は感光体４１の下面と対向させて設けてある。この感光体４１上の転写装置４８と対向する部位が転写部４７である。この転写部４７の用紙Ｐ搬送方向の上流側には、一対のレジストローラ４９が設けてある。図示しない給紙トレイに収納された記録材Ｐは給紙コロ１１０により給紙されて図示しない搬送ガイドによりレジストローラ４９に向けて搬送案内される。また、転写部４７より用紙Ｐ搬送方向の下流側には、本発明に係る定着装置１０が配置してあり、定着装置１０のニップ部出側の排紙経路に排紙センサ１１１を備える。該排紙センサ１１１は、印刷ジョブの最後のシートＰのニップ部の通過を検知して、検知信号を出力するようになっており、この検知信号により印刷終了を検出することができる。
【００１３】
この画像形成装置における画像形成は次のようにして行う。感光体４１が図示しない駆動部により回転駆動されて回転を始め、この回転中に感光体４１が暗中において帯電装置４２により均一に帯電され、露光手段によりミラー４３を介して露光光Ｌｂで露光部１５０が走査されることで、作成すべき画像に対応した潜像が感光体４１に形成される。この感光体４１上の潜像は、感光体４１の回転により現像装置４４に移動し、ここで現像装置４４により現像されてトナー像が形成される。
【００１４】
一方、給紙コロ１１０により給紙トレイ上の記録材（シート）としての用紙Ｐが給紙され、この用紙Ｐは図中に破線で示す搬送経路を経て一対のレジストローラ４９の位置で一旦停止し、感光体４１上のトナー像と転写部４７で合致するような送り出しのタイミングを待つ。そして、そのタイミングでレジストローラ４９が回転して用紙Ｐを送り出し、この用紙Ｐは転写部４７に向けて搬送される。感光体４１上のトナー像と用紙Ｐとが転写部４７で合致し、転写装置４８による電界によって感光体４１上のトナー像が用紙Ｐ上に転写される。
【００１５】
こうしてトナー像が転写されてこれを担持する用紙Ｐは、ついで定着装置１０に向けて送り出される。用紙Ｐ上のトナー像は定着装置１０を通過する間にその用紙Ｐ上に定着され、このトナー像が定着された用紙Ｐは図示しない排紙部へ排紙される。
一方、転写部４７で転写されずに感光体４１上に残った残留トナーは、感光体４１の回転と共にクリーニング装置４６に至り、クリーニング装置４６を通過する間に清掃されて次の画像形成に備える。
【００１６】
以上が１つの印刷ジョブである。なお、印刷ジョブとは１つの印刷要求に対応して行われるひとまとまりの画像形成処理（あるいは一度の印刷要求で出力される印刷作業）のことであり、１枚のシートに画像形成する場合と、複数枚のシートを連続通紙して画像形成する場合とがある。また、定着装置１０では印刷ジョブに対応して定着処理が行なわれる。
【００１７】
定着装置１０は、図２に示すように、それぞれが軸線（図２（ａ）の紙面に垂直な方向の軸線）で回転可能に支持された円筒形状の回転体である定着部材１４及び加圧部材１５を有する。定着部材１４としては例えば加熱部としての定着ローラ（以下、定着ローラ１４）で構成され、加圧部材１５は例えば加圧部材（以下、加圧ローラ１５）で構成される。定着ローラ１４内には発熱して定着ローラ１４を加熱する発熱体２が配置され、定着ローラ１４の外には定着ローラ１４の中央部の表面温度を検知する温度検知手段８ａと、端部の表面温度を検知する温度検知手段８ｂとが配置されている。また、加圧ローラ１５の外には加圧ローラ１５の表面温度を検知するサーミスタなどの温度検知手段８ｃが配置されている。
【００１８】
主電源装置９は、主電源４ａ（図３参照）からの電力により画像形成装置１００各部の各種ユニットへ給電を行う。主電源装置９は、外部電源である商用電源４ａのコンセント（例えば、１００Ｖ、１５Ａ）に電源線のプラグ５１を挿入して接続することで、商用電源４ａから電力が供給される。発熱体２は、図２に示すようにＡＣヒータからなる発熱体（主発熱ヒータ）２ａ、ＤＣヒータからなる発熱体（補助ヒータ（キャパシタヒータ））２ｂを有し、例えばハロゲンヒータが用いられる。
【００１９】
主発熱ヒータ２ａは、主に定着ローラ１４の幅方向における中央部を加熱する中央加熱ヒータ２ａ１と、定着ローラ１４の端部を加熱する端部加熱ヒータ２ａ２とからなる。このとき、例えば中央加熱ヒータ２ａ１の定格電力は５００Ｗ、端部加熱ヒータ２ａ２の定格電力は７００Ｗである。また中央加熱ヒータ２ａ１の発熱部の幅は例えば、Ａ４縦サイズ（Ａ５サイズ）のシートの幅相当（２００〜２２０ｍｍ幅）とされており、端部加熱ヒータ２ａ２の発熱部はその中央加熱ヒータ２ａ１の発熱部よりも外側で少なくとも通紙される最大幅シートの端部位置まで加熱するように配置される。あるいは端部加熱ヒータ２ａ２の発熱部の幅に余裕を持たせて中央加熱ヒータ２ａ１の発熱部と端部加熱ヒータ２ａ２の発熱部とが若干重なるように配置してもよい。また、補助ヒータ２ｂは定着ローラ１４の全幅において発熱分布が平坦なフラットヒータである。ただし、定着ローラ１４の幅方向で発熱分布が調整された（配光調整された）ものでもよい。補助ヒータ２ｂの定格電力は例えば５０Ｖ，４５０Ｗが採用される。ここで、補助ヒータ２ｂの定格電圧（５０Ｖ）は、主発熱ヒータ２ａの定格電圧（例えば１００Ｖ）と異なる電圧である場合を例に説明したが、印刷ジョブの際に、補助電源装置４ｂの電力を発熱体２以外の装置駆動の電力として供給し、その分だけ余剰が生じた外部電源（商用電源４ａ）の電力を発熱体２に供給するような間接給電（後述）を行う場合は、補助ヒータ２ｂの定格電圧は主発熱ヒータ２ａの定格電圧と同じでもよい。また、補助ヒータ２ｂは定着ローラ１４の幅方向で発熱分布が調整された（配光調整された）ものでもよい。例えば、定着ローラ１４の中央部における発熱分布が端部より大きくなるように配光調整されたヒータや、定着ローラ１４の端部における発熱分布が中央部より大きくなるように配光調整されたヒータでもよい。
【００２０】
なお、中央加熱ヒータ２ａ１の定格電力と端部加熱ヒータ２ａ２の定着電力と補助ヒータ２ｂとの定格電力の合計は、画像形成装置が消費する交流電源の最大消費電力の８０％以上となるような定格電力のヒータを用いることが好ましい。外部電源（商用電源４ａ）の電力（日本の場合は１００Ｖ１５Ａの１５００Ｗ）の場合、画像形成装置が消費する交流電源の最大消費電力が１５００Ｗとなるため、各ヒータの定格電力の合計は１２００Ｗ以上になる。また、中央加熱ヒータ２ａ１の定格電力と端部加熱ヒータ２ａ２の定着電力と補助ヒータ２ｂとの定格電力の合計が、画像形成装置が消費する交流電源の最大消費電力以上となるような定格電力のヒータを用いることが好ましい。この場合、各ヒータの定格電力の合計は１５００Ｗ以上になる。
【００２１】
定着ローラ１４のローラ基体は、例えばアルミニウムや鉄等の金属製であることが、耐久性や加圧による変形等の点から望ましい。このときのローラ基体の肉厚は、装置立ち上げ時に定着ローラ１４が急速に加熱され、短時間で所定の温度となるために薄肉とされており、５ｍｍ未満が好ましく、１ｍｍ以下であることがより好ましい。例えば、０．７ｍｍにする。また、定着ローラ１４の表面にはトナーとの固着を防ぐための離型層を形成していることが望ましく、定着ローラ１４の内面にはハロゲンヒータである発熱体２の放射熱を効率よく吸収するための黒化処理をしていることが望ましい。
【００２２】
加圧ローラ１５は、芯金にゴム等の弾性層が形成されてなるもので、定着ローラ１４よりも熱容量が大きくなっている。この加圧ローラ１５が定着ローラ１４と圧接してニップ部を形成し、このニップ部に未定着画像を形成した紙等の記録材Ｐを通紙することで熱と圧力によりトナー像を記録材Ｐ上に定着させる。また、加圧ローラ１５として発泡層を有する加圧ローラを用いて加圧ローラ１５と定着ローラ１４との間にニップ部を形成してもよい。
【００２３】
図３は、本発明の定着装置１０の加熱システムに関する回路構成を示す。本実施形態では、図３に示すように、定着ローラ１４を加熱するための発熱体２（中央加熱ヒータ２ａ１、端部加熱ヒータ２ａ２、補助ヒータ２ｂ）と、商用電源４ａから蓄電装置である補助電源装置４ｂへ給電可能な充電装置５を有する。充電装置５は、商用電源４ａからの電力の電圧調整やＡＣ／ＤＣ変換を行い、補助電源装置４ｂへＡＣ／ＤＣ変換後のＤＣ電力を供給して補助電源装置４ｂを充電する。また、主電源スイッチ６ａは中央加熱ヒータ２ａ１への通電を制御する制御手段として、主電源スイッチ６ｂは端部加熱ヒータ２ａ２への通電を制御する制御手段として第１の制御部（図示せず）により制御される。この第１の制御部は、本画像形成装置の電源スイッチのオン、オフに関係なく主電源装置９から給電され、本画像形成装置の各部を制御する主制御部からのモード信号や、温度検知手段８ａ，８ｂからの温度検知信号（定着ローラ１４の実際の表面温度に関する信号）などに基づいて、定着ローラ１４の表面温度が所定の目標温度（制御温度）になるように主電源スイッチ６ａ，６ｂを制御する。
【００２４】
また、後述するように、第１の制御部は、定着ローラ１４の前記目標温度（制御温度）を任意の温度に設定し、該目標温度と定着ローラ１４の実際の温度（温度検知手段８ａ，８ｂの検知温度）とを比較して、中央加熱ヒータ２ａ１，端部加熱ヒータ２ａ２の点灯制御を行なうものである。詳しくは、第１の制御部は、定着ローラ１４の中央部の中央目標温度（中央制御温度）を任意の温度に設定し、該中央目標温度と定着ローラ１４の温度検知手段８ａの検知温度とを比較して、中央加熱ヒータ２ａ１の点灯制御を行なう。また、第１の制御部は、定着ローラ１４の端部の端部目標温度（端部制御温度）を任意の温度に設定し、該端部目標温度と定着ローラ１４の温度検知手段８ｂの検知温度とを比較して、端部加熱ヒータ２ａ２の点灯制御を行なう。
【００２５】
第２の制御部３は、本画像形成装置の電源スイッチのオン、オフに関係なく主電源装置９から給電され、上記主制御部からのモード信号、温度検知手段８ａ，８ｂからの温度検知信号、補助電源装置４ｂの電力量（電圧）を検出する電力量検出手段の出力値などに基づいて、補助電源装置４ｂから補助ヒータ２ｂへの通電を制御する。充放電切替え装置７は、上記主制御部からのモード信号、温度検知手段８ａ，８ｂからの温度検知信号、上記電力量検出手段の出力値などに基づいて補助電源装置４ｂを充電装置５側と補助ヒータ２ｂ側へ切換接続する。充放電切替え装置７が補助電源装置４ｂを充電装置５側に接続したときには、商用電源４ａからの電力は充電装置５により電圧調整やＡＣ／ＤＣ変換が行われて補助電源装置４ｂへ供給されることにより補助電源装置４ｂが充電される。
【００２６】
充放電切替装置７が補助電源装置４ｂを補助ヒータ２ｂ側に接続したときには、補助電源装置４ｂから第２の制御部３を介して補助ヒータ２ｂへ電力が供給される。また主電源スイッチ６ａがオンの時には商用電源４ａから中央加熱ヒータ２ａ１へ電力が供給され、主電源スイッチ６ｂがオンの時には商用電源４ａから端部加熱ヒータ２ａ２へ電力が供給される。補助電源装置４ｂとしては、充放電可能な電気二重層コンデンサ（電気二重層キャパシタ）が挙げられる。
【００２７】
図４（ｂ）に、補助電源装置４ｂである電気二重層コンデンサを補助ヒータ２ｂに接続したときの放電特性を示す。図４（ｂ）の縦軸は電気二重層コンデンサの電圧（キャパシタ電圧）を示し、図４（ｂ）の横軸は時間Ｔｉｍｅを示す。電気二重層コンデンサは、その特性から、放電初期には電圧が高く、放電時間とともに電圧が減少していく（図４（ｂ）のｂ〜ｃ間）。つまり、電気二重層コンデンサは、放電初期には大電力を供給できるが、放電末期には供給電力が低下するという特性を有する。なお、放電停止電圧Ｖ３とは、放電の過程で電気二重層コンデンサの残電量がほとんどなくなり、ほとんど放電しなくなる電圧（例えば、１９Ｖ）であり、補助電源装置４ｂとしての放電を停止する電圧である。また、放電可能電圧Ｖ４とは、放電開始の段階で定着ローラ１４を加熱するパワーがある電圧と定着ローラ１４を加熱するまでのパワーがない電圧との境界の電圧（例えば、２８Ｖ）であり、放電可能電圧Ｖ４以上であれば放電を開始し、未満であれば放電しない電圧である。
【００２８】
本実施形態では、中央加熱ヒータ２ａ２の発熱部よりも幅の狭いサイズ（小サイズ）のシートの通紙開始時（図４のｂ点）には、端部加熱ヒータ２ａ２を常時消灯とし、商用電源４ａから電力を供給して中央加熱ヒータ２ａ１を点灯するとともに、補助電源装置４ｂから電力を供給して補助ヒータ２ｂを点灯し、定着ローラ１４を加熱し、定着ローラ１４の温度維持を図る（図４（ａ）の定着ローラ１４の通紙部の温度（温度検知手段８ａの検知温度）の変化参照。）。すなわち、点灯制御及び電力供給はつぎのようになっていた。
・中央加熱ヒータ２ａ１；点灯（電力供給オン）
・端部加熱ヒータ２ａ２；常時消灯（電力供給オフ）
・補助ヒータ２ｂ；点灯（電力供給オン）
【００２９】
このとき、前記第１の制御部が中央目標温度を例えば１９０℃に設定し、定着ローラ１４の中央部の温度（温度検出手段８ａの検知温度）がその温度となるように主電源スイッチ６ａのオンオフ制御による電力供給制御が行なわれ、中央加熱ヒータ２ａ１が点灯する。また、端部加熱ヒータ２ａ２を常時消灯とするために、前記第１の制御部が強制的に主電源スイッチ６ｂをオフとするか、あるいは定着ローラ１４の端部目標温度を常に実際の温度（温度検知手段８ｂの検知温度）よりも低い温度（第１の温度）、例えば１５０℃に設定している。この点灯制御により、定着ローラ１４の通紙部の温度（中央部の温度）は定着に必要な温度に保たれる（図４（ａ）のｂ〜ｃ間）。
【００３０】
図４（ｂ）では、１つの印刷ジョブとして複数枚の小サイズのシートを連続通紙して画像形成する場合を示しているが、該１つの印刷ジョブに伴う連続通紙の定着処理（図４（ｂ）のｂ〜ｄ点）の期間中に補助電源装置４ｂは放電により放電停止電圧Ｖ３までキャパシタ電圧が低下し（図４（ｂ）のｃ点）、それ以降補助電源装置４ｂから補助ヒータ２ｂへの電力供給は停止して補助ヒータ２ｂが消灯してしまう（図４（ｂ）のｃ〜ｄ点）。
【００３１】
ここで、補助ヒータ２ｂが消灯した後も、小サイズのシートの定着処理は行なわれる（図４（ｂ）のｃ〜ｄ点）が、このとき従来の定着装置では発熱体２への点灯制御及び電力供給はつぎのようになっていた。
・中央加熱ヒータ２ａ１；点灯（電力供給オン）
・端部加熱ヒータ２ａ２；常時消灯（電力供給オフ）
・補助ヒータ２ｂ；常時消灯（電力供給オフ）
【００３２】
なお、中央加熱ヒータ２ａ１における「点灯」とは、定着ローラ１４の中央部の温度（温度検出手段８ａの検知温度）が第１の制御部で設定された中央目標温度となるように主電源スイッチ６ａのオンオフ制御による電力供給制御が行なわれ、点灯制御されている状態をいう（以降の実施の形態において同じ）。すなわち、実際の温度が中央目標温度より低い場合には中央加熱ヒータ２ａ１は連続して点灯しており、中央目標温度近傍になると点灯、消灯が繰り返され、中央目標温度に維持されるようになる。また、端部加熱ヒータ２ａ２の「常時消灯」は、通紙開始時と同様に、強制的に電力供給をオフとするか、あるいは定着ローラ１４の端部目標温度を常に実際の温度（温度検知手段８ｂの検知温度）よりも低くなるように設定して常に電力供給されないように制御されている状態をいう（以降の実施の形態において同じ）。
【００３３】
この場合、定着ローラ１４のうち、通紙部、とりわけ端部側（小サイズのシートの端部位置）の温度の落ち込みが大きくなり、定着性能が悪化する問題が発生した。
そこで、本発明では、このような状況において、以下のような点灯制御の工夫を行い、この問題の解決を図った。
【００３４】
本発明に係る定着装置の第１の実施の形態について説明する。本実施形態は、定着装置１０において、前記小サイズのシートを通紙する定着処理のときに、端部加熱ヒータ２ａ２を常時消灯とし中央加熱ヒータ２ａ１及び補助ヒータ２ｂを点灯して定着ローラ１４を加熱する前提であって、前記小サイズのシートの連続通紙の定着処理の最中に補助電源装置４ｂの放電が停止するとき（あるいは補助電源装置４ｂのキャパシタ電圧が放電停止電圧Ｖ３になったとき）は、補助電源装置４ｂの放電停止後に端部加熱ヒータ２ａ２を点灯して定着ローラ１４を加熱するものである。すなわち、補助電源装置４ｂの放電停止後に定着装置１０ではつぎの点灯制御を行なう。
・中央加熱ヒータ２ａ１；点灯（電力供給オン）
・端部加熱ヒータ２ａ２；点灯（電力供給オン）
・補助ヒータ２ｂ；常時消灯（電力供給オフ）
【００３５】
ここで、第１の制御部は、小サイズのシートの連続通紙の定着処理の最中であって補助電源装置４ｂが放電を停止する時（図４（ｂ）のｃ点）に、定着ローラ１４の端部目標温度を前記第１の温度（図４（ｃ）では１５０℃）よりも高い第２の温度（例えば、中央目標温度と同じ１９０℃。あるいは中央目標温度よりも高くても低くてもよい。）に設定して端部加熱ヒータ２ａ２を点灯し定着ローラ１４を第２の温度まで加熱する制御を行なう。なお、端部加熱ヒータ２ａ２における「点灯」も、定着ローラ１４の端部の温度（温度検出手段８ｂの検知温度）が第１の制御部で設定された端部目標温度となるように主電源スイッチ６ｂのオンオフ制御による電力供給制御が行なわれ、点灯制御されている状態をいう（以降の実施の形態において同じ）。すなわち、実際の温度が端部目標温度より低い場合には端部加熱ヒータ２ａ２は連続して点灯しており、端部目標温度近傍になると点灯、消灯が繰り返されるようになる。この点灯制御により、定着ローラ１４の通紙部の温度（中央部の温度）は、補助ヒータ２ｂが消灯する前よりも若干温度が低下するが、定着に必要な温度に保たれる（図４（ａ）のｃ〜ｄ間）。
なお、通紙終了後（図４（ｂ）のｄ点以降）は、補助電源装置４ｂの充電が開始される。
【００３６】
以上の点灯制御によって、補助ヒータ２ｂが消灯したことによる定着ローラ１４の通紙部の温度落ち込みは、端部加熱ヒータ２ａ２の加熱により補われ、良好な定着性能を得ることができる。
【００３７】
つぎに本発明に係る定着装置の第２の実施の形態について説明する。本実施形態は、定着装置１０において、前記小サイズのシートを通紙する定着処理のときに、端部加熱ヒータ２ａ２を常時消灯とし中央加熱ヒータ２ａ１及び補助ヒータ２ｂを点灯して定着ローラ１４を加熱する前提であって、前記小サイズのシートの連続通紙の定着処理の最中に、補助電源装置４ｂのキャパシタ電圧（放電電圧）がフル充電電圧（例えば６０Ｖ）と放電停止電圧Ｖ３（例えば１９Ｖ）との間の所定の電圧に低下した時、定着ローラ１４の端部目標温度を前記第１の実施の形態における第１の温度（例えば１５０℃）と第２の温度（例えば１９０℃）との間の温度である第３の温度（例えば１７０℃）に設定して端部加熱ヒータ２ａ２を点灯し定着ローラ１４を第３の温度まで加熱するものである。なお、前記所定の電圧とは、任意に設定可能であるが、補助電源装置４ｂの容量や使用目的に応じて設定すればよく、例えば放電可能電圧Ｖ４（２８Ｖ）とすればよい。
【００３８】
ここで、補助電源装置４ｂのキャパシタ電圧が所定の電圧に低下した時に定着装置１０ではつぎの点灯制御を行なう。
・中央加熱ヒータ２ａ１；点灯（電力供給オン）
・端部加熱ヒータ２ａ２；点灯（電力供給オン）
・補助ヒータ２ｂ；点灯（電力供給オン）
【００３９】
またこのときの第１の制御部の各目標温度の設定は次のとおりである。
・中央目標温度；通紙時の通常温度（例えば、１９０℃）
・端部目標温度；第３の温度（例えば、１７０℃）
【００４０】
その後、前記小サイズのシートの連続通紙の定着処理の最中に補助電源装置４ｂの放電が停止するとき（あるいは補助電源装置４ｂのキャパシタ電圧が放電停止電圧Ｖ３になったとき）は、補助電源装置４ｂの放電停止時に定着ローラ１４の端部目標温度を前記第２の温度に設定して端部加熱ヒータ２ａ２を点灯し定着ローラ１４を第２の温度まで加熱するものである。すなわち、補助電源装置４ｂの放電停止後に定着装置１０ではつぎの点灯制御を行なう。
・中央加熱ヒータ２ａ１；点灯（電力供給オン）
・端部加熱ヒータ２ａ２；点灯（電力供給オン）
・補助ヒータ２ｂ；常時消灯（電力供給オフ）
【００４１】
このときの第１の制御部の各目標温度の設定は次のとおりである。
・中央目標温度；通紙時の通常温度（例えば、１９０℃）
・端部目標温度；第２の温度（例えば、１９０℃）
【００４２】
なお、本実施の形態では、端部目標温度としての第３の温度は任意に設定可能であり、状況に応じて変化させるとよい。例えば、商用電源４ａからのＡＣ電圧入力が規定より低くなることがあるが、例えば定格の９０％以下として、１００Ｖ定格のマシンでは９０Ｖ以下となる場合、中央加熱ヒータ２ａ１は約４３０Ｗ、端部加熱ヒータ２ａ２は約６００ＷとなってＡＣヒータ電力は約８５％低下するため、前記第３の温度は通常より高め（例えば、１８０℃）に設定するとよい。
【００４３】
図５（ｃ）にその端部目標温度の設定パターンを示す。なお、図５（ａ）は本実施の形態における定着ローラ１４の通紙部の温度（温度検知手段８ａの検知温度）の変化を示しており、図５（ｂ）は補助電源装置４ｂのキャパシタ電圧の変化を示している。
（区間Ａ）  前記小サイズのシートの連続通紙の定着処理の開始時（通紙開始時）から、補助電源装置４ｂのキャパシタ電圧が所定の電圧（放電可能電圧Ｖ４）まで低下するまでの間（図５のｂ〜ｃ´間）は、第１の制御部は、端部目標温度を第１の温度（１５０℃）に設定し、端部加熱ヒータ２ａ２を常時消灯とする。
（区間Ｂ）  つぎに、補助電源装置４ｂのキャパシタ電圧が所定の電圧（放電可能電圧Ｖ４）から放電停止電圧Ｖ３まで低下するまでの間（図５のｃ´〜ｃ間）は、第１の制御部は、端部目標温度を第３の温度（１８０℃）に設定し、端部加熱ヒータ２ａ２を点灯して定着ローラ１４の端部を第３の温度まで加熱する。
（区間Ｃ）  つぎに、補助電源装置４ｂの放電停止時から通紙終了時までの間（図５のｃ〜ｄ間）は、第１の制御部は、端部目標温度を第２の温度（１９０℃）に設定し、端部加熱ヒータ２ａ２を点灯して定着ローラ１４の端部を第２の温度まで加熱する。
【００４４】
前記小サイズのシートの連続通紙の最中に補助電源装置４ｂの放電が停止して補助ヒータ２ｂが消灯すると、定着ローラ１４の通紙部の温度落ち込みが大きく、補助ヒータ２ｂの消灯時から端部加熱ヒータ２ａ２で加熱したのでは温度落ち込み解消が十分でなく間に合わない場合がある。これは、例えば商用電源４ａからのＡＣ電圧入力が規定より低くなるときである。そこで、補助電源装置４ｂの放電が停止して補助ヒータ２ｂが消灯する前に（補助電源装置４ｂが所定のキャパシタ電圧（例えば、放電可能電圧Ｖ４）に低下した時に）、端部加熱ヒータ２ａ２を点灯して定着ローラ１４の端部をある程度加熱しておくことにより、定着ローラ１４の通紙部の温度をかさ上げしておき補助ヒータ２ｂの消灯時の定着ローラ１４（通紙部）の温度が一気に大きく落ち込むことを防ぐことができる（図５（ａ）のｃ´〜ｃ間）。
なお、通紙終了後（図５（ｂ）のｄ点以降）は、補助電源装置４ｂの充電が開始される。
【００４５】
つぎに本発明に係る定着装置の第３の実施の形態について説明する。本実施形態は、定着装置１０において、前記小サイズのシートを通紙する定着処理のときに、端部加熱ヒータ２ａ２を常時消灯とし中央加熱ヒータ２ａ１及び補助ヒータ２ｂを点灯して定着ローラ１４を加熱する前提であるが、前記小サイズのシートの定着処理の開始時に、補助電源装置４ｂの充電電圧（キャパシタ電圧）が放電可能電圧Ｖ４以下で補助ヒータ２ｂが点灯されないときは、中央加熱ヒータ２ａ１及び端部加熱ヒータ２ａ２を点灯して定着ローラ１４を加熱するものである。すなわち、前記小サイズのシートの通紙開始時に定着装置１０ではつぎの点灯制御を行なう。
・中央加熱ヒータ２ａ１；点灯（電力供給オン）
・端部加熱ヒータ２ａ２；点灯（電力供給オン）
・補助ヒータ２ｂ；常時消灯（電力供給オフ）
【００４６】
このときの第１の制御部の各目標温度の設定は次のとおりである。
・中央目標温度；通紙時の通常温度（例えば、１９０℃）
・端部目標温度；第２の温度（例えば、１９０℃）
【００４７】
なお、「前記小サイズのシートの定着処理の開始時に、補助電源装置４ｂの充電電圧（キャパシタ電圧）が放電可能電圧Ｖ４以下で補助ヒータ２ｂが点灯されないとき」とは、例えば連続通紙の定着処理（前の印刷ジョブ）により補助電源装置４ｂのキャパシタ電圧が放電可能電圧Ｖ４以下となり、前の印刷ジョブ終了後に補助電源装置４ｂの充電が開始されるも放電可能電圧Ｖ４以上に充電される前に次の印刷ジョブが入ってきた場合をいう。
【００４８】
図６に、その場合の定着ローラの中央部の表面温度（温度検知手段８ａの検知温度）及び補助電源装置４ｂのキャパシタ電圧の変化を示す。
前記小サイズのシートの定着処理の開始時（図６（ｂ）のｂ点）に、補助電源装置４ｂの充電電圧（キャパシタ電圧）が放電可能電圧Ｖ４（２８Ｖ）以下であり（図６（ｂ）では２５Ｖ）、補助電源装置４ｂの放電による電力供給はできない。そこで、前述のような点灯制御を行い、補助ヒータ２ｂが消灯されないことによる定着ローラ１４の通紙部の温度落ち込みを端部加熱ヒータ２ａ２の加熱により補い、定着ローラ１４の通紙部の温度は定着に必要な温度に保たれ（図６（ａ）のｂ〜ｄ間）、良好な定着性能を得る。
【００４９】
なお、前記小サイズのシートの連続通紙の定着処理の最中（図６（ｂ）のｂ〜ｄ間）は、商用電源４ａの電力は中央加熱ヒータ２ａ１、端部加熱ヒータ２ａ２等に供給され余力がないため、捕縄電源装置４ｂの充電を行うことはできず、キャパシタ電圧の変化はない。そして、通紙終了後（図６（ｂ）のｄ点以降）に、充電が開始される。
【００５０】
また、これまでの本発明では、補助電源装置４ｂの電力を定着処理の際に補助ヒータ２ｂである加熱手段に供給する直接給電方式の場合を示したが、これに限定されるものではない。例えば、定着処理の際に、補助電源装置４ｂの電力を定着装置の他の装置駆動の電力（例えば、ローラ駆動系の電力）として供給し、その分だけ余剰が生じた外部電源（商用電源４ａ）の電力を加熱手段に供給するようにしてもよい。あるいは、画像形成装置全体としてみた場合に、印刷ジョブの際に、補助電源装置４ｂの電力を定着装置以外の装置駆動の電力（例えば、自動原稿送り装置（ＡＤＦ）１２０の駆動電力や読取装置１３０の電力）として供給し、その分だけ余剰が生じた外部電源（商用電源４ａ）の電力を加熱手段に供給するようにしてもよい。
【００５１】
すなわち、定着ローラ１４と、該定着ローラ１４に対して回転自在に圧接し未定着トナーをシート上に定着させるニップ部を形成する加圧ローラ１５と、前記定着ローラ１４の幅方向中央部を加熱する発熱部をもつ第１の中央加熱ヒータ２ａ１と、前記定着ローラ１４の幅方向両端部を加熱する発熱部をもつ第２の端部加熱ヒータ２ａ２と、前記定着ローラ１４を加熱する第３のヒータと、を備える定着装置１０と、補助電源装置４ｂと、を有し、印刷ジョブのときに補助電源装置４ｂの電力を前記ヒータ以外の装置の動力として使用し、外部電源（商用電源４ａ）における該補助電源装置４ｂの供給電力分の余剰電力を前記第３のヒータに供給する画像形成装置であって、前記定着ローラ１４は、第１の中央加熱ヒータ２ａ１の発熱部よりも幅の狭いサイズ（小サイズ）のシートの印刷ジョブのときに、第２の端部加熱ヒータ２ａ２を常時消灯とし第１の中央加熱ヒータ２ａ１及び前記第３のヒータを点灯して定着ローラ１４を加熱し、前記小サイズのシートの連続通紙の印刷ジョブの最中に補助電源装置４ｂの放電が停止するときは、該補助電源装置４ｂの放電停止後に第２の端部加熱ヒータ２ａ２を点灯して定着ローラ１４を加熱するようにするとよい。ここで、前記第１の中央加熱ヒータ２ａ１、第２の端部加熱ヒータ２ａ２、第３のヒータは、ＡＣヒータである。また、第３のヒータは、定着ローラ１４の全幅において発熱分布が平坦なフラットヒータである。ただし、第３のヒータは、定着ローラ１４の幅方向で発熱分布が調整された（配光調整された）ものでもよい。
また、前記小サイズのシートの印刷ジョブの開始時に、補助電源装置４ｂの充電電圧が放電可能電圧Ｖ４以下で電力供給されないときは、前記第１の中央加熱ヒータ２ａ１及び第２の端部加熱ヒータ２ａ２を点灯して定着ローラ１４を加熱することが好ましい。
【００５２】
第２の端部加熱ヒータ２a２を常時消灯させる方法としては、強制的にヒータが点灯しないように制御する場合と、第２の端部加熱ヒータ２ａ２で加熱される定着ローラ１４の制御目標温度を下げる場合とがあるが、どちらを採用してもよい。また、第１の中央加熱ヒータ２ａ１や第３のヒータを点灯するとの意味は、定着動作中に第１の中央加熱ヒータ２ａ１や第３のヒータの点灯と消灯を制御（例えば、オン・オフ制御）して定着ローラの表面温度を制御する意味である。従って、第１の中央加熱ヒータ２ａ１や第３のヒータを点灯するとの意味は、定着動作中に第１の中央加熱ヒータ２ａ１や第３のヒータを強制的に常時点灯させる意味ではなく、定着ローラ１４の表面が制御目標温度になるように第１の中央加熱ヒータ２ａ１や第３のヒータを点灯制御するとの意味であるので、定着ローラ１４の表面温度が制御目標温度を越えた場合は第１の中央加熱ヒータ２ａ１や第３のヒータは消灯する。なお、第１の中央加熱ヒータ２ａ１と第３のヒータの制御目標温度は同じでもよいし、異なる制御温度でもよい。
【００５３】
また、第１の中央加熱ヒータ２ａ１の定格電力と第２の端部加熱ヒータ２ａ２の定着電力と第３のヒータとの定格電力の合計は、画像形成装置が消費する交流電源の最大消費電力の８０％以上となるような定格電力のヒータを用いることが好ましい。外部電源（商用電源４ａ）の電力（日本の場合は１００Ｖ１５Ａの１５００Ｗ）の場合、画像形成装置が消費する交流電源の最大消費電力が１５００Ｗとなるため、各ヒータの定格電力の合計は１２００Ｗ以上になる。また、第１の中央加熱ヒータ２ａ１の定格電力と第２の端部加熱ヒータ２ａ２の定着電力と第３のヒータとの定格電力の合計は、画像形成装置が消費する交流電源の最大消費電力以上となるような定格電力のヒータを用いることが好ましい。この場合、各ヒータの定格電力の合計は１５００Ｗ以上になる。
【００５４】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
例えば、上記実施形態では、定着ローラ内に配置されたヒータを例に説明したが、図７に示すようにベルト定着装置の加熱ローラ内に配置されたヒータに本発明を適用することもできる。この場合、ベルト定着方式の定着装置１４０は、無端ベルトで構成された定着部材としての定着ベルト１４１と、定着ベルト１４１が巻き掛けられる複数のバックアップ部材としての定着ローラ１４２と加熱ローラ１４３と、定着ベルト１４１を間に挟んで一方のローラとしての定着ローラ１４２との間に圧接ニップ部Ｎを形成する加圧部材であり対向回転体となる加圧ローラ１５を備え、圧接ニップ部Ｎにトナー画像Ｔを転写されたシートＰを導入して挟持搬送させることで、トナー画像ＴをシートＰに熱と圧力で固着するものである。ここで、加熱ローラ１４３は、その内部に中央加熱ヒータ２ａ１及び端部加熱ヒータ２ａ２からなる主発熱ヒータ２ａと、補助ヒータ２ｂを備えていて、発熱体２を構成している。加熱ローラ１４３は、発熱体２に本発明の構成で電力が供給されて発熱することで、ローラを介して定着ベルト１４１の表面を加熱するものである。
【図面の簡単な説明】
【００５５】
【図１】本発明に係る画像形成装置の構成を示す断面図である。
【図２】本発明に係る定着装置の構成を示す概略図である。
【図３】本発明に係る定着装置における加熱システムの回路図である。
【図４】本発明に係る定着装置の第１の実施形態における定着ローラ（中央部）温度、補助電源装置のキャパシタ電圧、端部目標温度の変化を示す図である。
【図５】本発明に係る定着装置の第２の実施形態における定着ローラ（中央部）温度、補助電源装置のキャパシタ電圧、端部目標温度の変化を示す図である。
【図６】本発明に係る定着装置の第３の実施形態における補定着ローラ（中央部）温度、補助電源装置のキャパシタ電圧の変化を示す図である。
【図７】本発明を適用したベルト定着装置の構成を示す概略図である。
【符号の説明】
【００５６】
２，２ａ    発熱体
２ａ１    中央加熱ヒータ
２ａ２    端部加熱ヒータ
２ｂ    補助ヒータ
３    第２の制御部
４ａ    商用電源（主電源）
４ｂ    補助電源装置
５    充電装置
６ａ，６ｂ    主電源スイッチ
７    充放電切替え装置
８，８ａ，８ｂ，８ｃ    温度検知手段
９    主電源装置
１０，１４０    定着装置
１４    定着ローラ
１５    加圧ローラ
４１    感光体
４２    帯電装置
４３    ミラー
４４    現像装置
４４ａ    現像ローラ
４６    クリーニング装置
４６ａ    ブレード
４７    転写部
４８    転写装置
４９    レジストローラ
５１    プラグ
１００    画像形成装置
１１０    給紙コロ
１１１    排紙センサ
１２０    ＡＤＦ（自動原稿送り装置）
１３０    読取装置
１４０    画像形成部
１４１    定着ベルト
１４２    定着ローラ
１４３    加熱ローラ
１５０    露光部
Ｌｂ    露光光
Ｎ    ニップ部
Ｐ    シート（記録材）
【図１】
0004940162.tif 000002
【図３】
0004940162.tif 000003
【図４】
0004940162.tif 000004
【図５】
0004940162.tif 000005
【図６】
0004940162.tif 000006
【図７】
0004940162.tif 000007
【図２】
0004940162.tif 000008